(57)【特許請求の範囲】
【請求項１】
装置本体と、
前記装置本体の上面に対して開閉可能に設けられ、前記装置本体の上面の一方端側を回動支点として前記上面を開放する開位置と前記上面を閉塞する閉位置との間で回動可能な第１カバー部材と、
前記第１カバー部材に設けられ、予め定められた読取位置へシートを搬送する一対のローラー対を有するシート搬送部と、
前記第１カバー部材に設けられ、前記開位置において前記上面に対向する前記第１カバー部材の対向面から突出する第１位置と、前記閉位置において前記上面に当接して前記第１位置から前記対向面側に退避する第２位置との間で移動可能な移動部材と、
前記移動部材を前記第２位置から前記第１位置側へ弾性付勢する付勢部材と、
前記移動部材と前記ローラー対とを連結し、前記付勢部材によって付勢されて前記移動部材が前記第２位置から前記第１位置へ移動したことに応じて前記ローラー対を離間させる連結部材と、を備える画像読取装置。
【請求項２】
前記移動部材は、前記第１カバー部材の前記閉位置において前記上面に当接されることにより前記付勢部材の付勢力に抗して前記第２位置に配置されて前記第１カバー部材と前記上面との間隙を一定に保持する請求項１に記載の画像読取装置。
【請求項３】
前記シート搬送部は、内部に形成されたシート搬送路を覆う第２カバー部材を有し、
前記一対のローラー対は、駆動部によって回転駆動され前記シート搬送路の下側で回転可能に設けられた第１ローラーと、前記第１ローラーに圧接されて従動され前記シート搬送路を挟んで前記第１ローラーよりも上側で前記第２カバー部材に回転可能に設けられ、前記第１ローラーに圧接される第２ローラーとを有する請求項１又は２に記載の画像読取装置。
【請求項４】
前記第２ローラーは、前記第１ローラーに対して接離する方向へ変位可能に前記第２カバー部材に支持されており、
前記連結部材は、前記移動部材が前記第２位置から前記第１位置へ移動したことに応じて前記第２ローラーの支軸を前記第１ローラーから離反する方向へ押圧する請求項３に記載の画像読取装置。
【請求項５】
請求項１から４のいずれかに記載の画像読取装置と、
前記画像読取装置によって読み取られた画像に基づいて画像を形成可能な画像形成部と、を備える画像形成装置。
【発明の詳細な説明】
【技術分野】
【０００１】
本発明は、装置本体の上面に対して開閉可能に設けられたカバー部材を備える画像読取装置に関し、特に、前記カバー部材にシート搬送部が設けられた画像読取装置に関する。
【背景技術】
【０００２】
電子写真方式によって用紙に画像を形成する複写機やプリンター等の画像形成装置には画像読取装置が搭載されている。画像読取装置として、自動原稿送り装置（ＡＤＦ：Auto Document Feeder）が一体に設けられた原稿カバーを備えたものが知られている。自動原稿送り装置には、原稿を搬送する搬送ローラー対や、原稿の先端を位置決めしてスキュー搬送を防止するためのレジストローラー対などのローラー対が設けられている。ローラー対は、２つの回転ローラーから構成されており、各回転ローラーは互いに圧接されている。回転ローラーの表層は弾力を有する弾性部材で構成されているため、回転ローラーの圧接部は、互いに圧接されることによって、円弧形状に凹まされる。画像読取装置が長期に渡って使用されなかったり、長期に渡って保管されていた場合、ローラー対が長期間圧接された状態にされる。この場合、回転ローラーの圧接部の凹んだ部分が元の形状（円筒形状）に戻らなくなり、ローラー対の回転駆動時に異音が生じたり、搬送不良が生じるおそれがある。
【０００３】
一方、定着装置におけるローラー対の圧接を解除する解除機構（特許文献１参照）や、シートの横方向の位置を補正するシート位置補正装置におけるローラー対の圧接を解除する解除機構（特許文献２参照）が知られている。
【先行技術文献】
【特許文献】
【０００４】
【特許文献１】特開昭６４−８１５９号公報
【特許文献２】特開平７−２８３５４号公報
【発明の概要】
【発明が解決しようとする課題】
【０００５】
しかしながら、従来の前記解除機構は、当該解除機構が適用される定着装置やシート位置補正装置に適した構造を有しており、また、その構造が複雑であるため、自動原稿送り装置におけるローラー対を解除する機構として容易に適用することができない。
【０００６】
本発明は、前記事情に鑑みてなされたものであり、その目的は、ローラー対の圧接を解除する機構を簡単な構成で実現することが可能な画像読取装置及びこれを備えた画像形成装置を提供することにある。
【課題を解決するための手段】
【０００７】
本発明の一の局面に係る画像読取装置は、装置本体と、第１カバー部材と、シート搬送部と、移動部材と、付勢部材と、連結部材と、を備える。前記第１カバー部材は、前記装置本体の上面に対して開閉可能に設けられている。前記第１カバー部材は、前記装置本体の上面の一方端側を回動支点として前記上面を開放する開位置と前記上面を閉塞する閉位置との間で回動可能である。前記シート搬送部は、前記第１カバー部材に設けられている。前記シート搬送部は、予め定められた読取位置へシートを搬送する一対のローラー対を有する。前記移動部材は、前記第１カバー部材に設けられている。前記移動部材は、前記開位置において前記上面に対向する前記第１カバー部材の対向面から突出する第１位置と、前記閉位置において前記上面に当接して前記第１位置から前記対向面側に退避する第２位置との間で移動可能である。前記付勢部材は、前記移動部材を前記第２位置から前記第１位置側へ弾性付勢する。前記連結部材は、前記移動部材と前記ローラー対とを連結し、前記付勢部材によって付勢されて前記移動部材が前記第２位置から前記第１位置へ移動したことに応じて前記ローラー対を離間させる。
【０００８】
本発明の他の局面に係る画像形成装置は、前記画像読取装置と、画像形成部と、を備える。前記画像形成部は、前記画像読取装置によって読み取られた画像に基づいて画像を形成可能に構成されている。
【発明の効果】
【０００９】
本発明によれば、ローラー対の圧接を解除する機構を簡単な構成で実現することが可能である。
【図面の簡単な説明】
【００１０】
【図１】図１は、本発明の実施形態に係る画像形成装置及び画像読取装置の構成を示す図である。
【図２】図２は、画像読取装置の構成を示す図である。
【図３】（Ａ）は、画像読取装置の原稿カバーが閉じられた状態を示す斜視図であり、（Ｂ）は、画像読取装置の原稿カバーが開けられた状態を示す斜視図である。
【図４】図４は、画像読取装置のＡＤＦカバーが開けられた状態を示す斜視図である。
【図５】図５は、図４における要部Ｖの拡大図である。
【図６】図６は、図３における切断線ＶＩ−ＶＩの断面図である。
【図７】図７は、図６における要部ＶＩＩの拡大図である。
【図８】図８は、図７の拡大図において原稿カバーが閉位置から上方へ持ち上げられた状態を示す図である。
【図９】図９は、画像読取装置が備える連結部の構成を模式的に示す図である。
【発明を実施するための形態】
【００１１】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００１２】
図１乃至図９を参照して、本発明の実施形態に係る画像形成装置１０（本発明の画像形成装置の一例）及び画像読取装置２０（本発明の画像読取装置の一例）の構成について説明する。なお、以下の説明では、画像形成装置１０が平坦な支持面に設置された状態（図１に示される状態）を基準として上下方向６を定義する。また、図１の紙面に対して手前側の面を画像形成装置１０の正面（前面）として前後方向７を定義する。また、図１の画像形成装置１０を正面側から見て左右方向８（図１の紙面に垂直な方向）を定義する。
【００１３】
図１に示されるように、画像形成装置１０は、画像読取装置２０、画像形成部３０（本発明の画像形成部の一例）、操作表示部２４（図３参照）、給紙カセット２５、及びこれらを制御する制御部（不図示）を備えている。なお、本実施形態では、本発明の一実施形態として画像読取装置２０を備えた画像形成装置１０を例示するが、本発明はこれに限られず、画像読取装置２０そのものや、或いは少なくとも画像読取装置２０を備えたプリンター、ファクシミリ装置、複写機として本発明が実現されていてもよい。
【００１４】
画像形成部３０は、画像読取装置２０で読み取られた画像データ、又は外部のパーソナルコンピュータ等の情報処理装置から通信によって入力された印刷ジョブに基づいて、電子写真方式による画像形成処理（印刷処理）を実行する。具体的には、図１に示されるように、画像形成部３０は、感光体ドラム３１、帯電装置３２、現像装置３３、トナーコンテナ３４、転写ローラー３５、除電装置３６、定着ローラー３７、加圧ローラー３８、これらを収容する筐体３０Ａなどを備えている。なお、本実施形態では、電子写真方式の画像形成部３０を例にして説明するが、画像形成部３０は電子写真方式のものに限られず、インクジェット記録方式のものであっても、或いはそれ以外の記録方式又は印刷方式のものであってもかまわない。
【００１５】
ここで、画像形成部３０では、給紙カセット２５から供給される印刷用紙に対する画像形成処理が以下の手順で行われる。まず、印刷指示を含む印刷ジョブが入力されると、帯電装置３２によって感光体ドラム３１が所定の電位に一様に帯電される。次に、不図示のレーザースキャニングユニット（ＬＳＵ）により感光体ドラム３１の表面に前記印刷ジョブに含まれる画像データに基づく光が照射される。これにより、感光体ドラム３１の表面に静電潜像が形成される。そして、感光体ドラム３１上の静電潜像は現像装置３３によってトナー像として現像（可視像化）される。なお、現像装置３３には、トナーコンテナ３４からトナー（現像剤）が補給される。続いて、感光体ドラム３１に形成されたトナー像は転写ローラー３５によって印刷用紙に転写される。その後、印刷用紙に転写されたトナー像は、その印刷用紙が定着ローラー３７及び加圧ローラー３８の間を通過して排出される際に定着ローラー３７で加熱されて溶融定着する。なお、感光体ドラム３１の電位は除電装置３６で除電される。
【００１６】
図３に示されるように、操作表示部２４は、画像読取装置２０に設けられている。操作表示部２４は、各種操作キーや液晶ディスプレイなどを備えて構成されている。操作キーとして、例えば、原稿の読取開始指示を入力するためのスタートボタン、読み取りを中断させるストップボタン、テンキー、十字キーなどが配列されている。画像形成装置１０では、操作表示部２４から入力された種々の動作指示にしたがって、画像読取処理や画像形成処理が実行される。なお、ユーザーが画像読取動作や画像形成動作を実行させるために前記操作キーを操作すると、前記操作キーの接点信号が操作入力信号として操作表示部２４から前記制御部（不図示）に出力される。
【００１７】
画像読取装置２０は、原稿から画像データを読み取る画像読取処理を実行するものである。図１に示されるように、画像読取装置２０は、画像読取部３０の筐体３０Ａの上部に設けられている。
【００１８】
図２に示されるように、画像読取装置２０は、コンタクトガラス１１、読取ユニット１２、ミラー１３，１４、光学レンズ１５、ＣＣＤ１６、及びこれらを収容する筐体２０Ａなどを備えている。筐体２０Ａは本発明の装置本体の一例である。筐体２０Ａの上面２０Ｂ（図３参照）にコンタクトガラス１１が取り付けられており、筐体２０Ａの内部に読取ユニット１２等が設けられている。また、画像読取装置２０は、筐体２０Ａに取り付けられた原稿カバー２２と、原稿カバー２２に設けられたＡＤＦ（自動原稿送り装置）２１とを備えている。原稿カバー２２は、本発明の第１カバー部材の一例である。ＡＤＦ２１は、本発明のシート搬送部の一例である。
【００１９】
読取ユニット１２は、ＬＥＤ光源１２１及びミラー１２２を備えている。読取ユニット１２は、ステッピングモーター等の駆動モーターを用いた不図示の移動機構によって図２に示す左右方向８へ移動可能に構成されている。そして、前記駆動モーターにより読取ユニット１２が左右方向８へ移動されると、ＬＥＤ光源１２１からコンタクトガラス１１へ向けて照射される光が左右方向８へ走査される。
【００２０】
ミラー１２２は、ＬＥＤ光源１２１から光が照射されたときに、原稿又は原稿カバー２２の裏面（対向面）で反射した反射光をミラー１３へ向けて反射させる。ミラー１２２で反射した光は、ミラー１３，１４によって光学レンズ１５に導かれる。光学レンズ１５は、入射した光を集光してＣＣＤ１６に入射させる。
【００２１】
ＣＣＤ１６は、受光した光をその光量（輝度の強度）に応じた電気信号（電圧）に変換して制御部（不図示）へ出力する光電変換素子である。前記制御部では、ＣＣＤ１６からの電気信号を画像処理することによって原稿の画像データを生成する。なお、本実施形態では、撮像素子としてＣＣＤ１６を用いた例について説明するが、ＣＣＤ１６による読取機構に代えて、コンタクトイメージセンサー（ＣＩＳ: Contact Image Sensor）を用いた読取機構を適用することも可能である。
【００２２】
画像読取装置２０には、原稿カバー２２が回動自在に設けられている。画像読取装置２０の筐体２０Ａの上部の後端側に回動軸が設けられており、原稿カバー２２は、前記回動軸を回動支点として、筐体２０Ａの上面２０Ｂに対して回動可能に支持されている。本実施形態では、原稿カバー２２は、コンタクトガラス１１に対して開閉可能に支持されている。つまり、原稿カバー２２は、コンタクトガラス１１を含む筐体２０Ａの上面２０Ｂを覆う閉位置（図３（Ａ）に示される位置）と、上面２０Ｂから上方へ離間して上面２０Ｂを露出する開位置（図３（Ｂ）に示される位置）との間で回動可能である。原稿カバー２２が回動操作されることによって、画像読取装置２０の上面のコンタクトガラス１１が開閉される。
【００２３】
ここで、画像読取装置２０による原稿画像の読み取りは、以下の手順で行われる。まず、原稿がコンタクトガラス１１上に載置され、その後、原稿カバー２２が閉姿勢にされる。そして、操作表示部２４から画像読取指示が入力されると、読取ユニット１２を左右方向８の右向きへ移動させつつＬＥＤ光源１２１から連続して順次１ライン分の光が照射される。そして、原稿又は原稿カバー２２の裏面からの反射光がミラー１２２，１３，１４及び光学レンズ１５を介してＣＣＤ１６に導かれ、ＣＣＤ１６で受光した光量に応じた光量データが前記制御部に出力される。前記制御部では、光が照射された領域全体における光量データが得られると、その光量データを処理することによって、前記光量データから原稿の画像データを生成する。
【００２４】
図２に示されるように、ＡＤＦ２１は、原稿カバー２２に設けられている。ＡＤＦ２１は、予め定められた後述の読取位置１２Ａへ原稿（シートの一例）を搬送する。ＡＤＦ２１は、原稿トレイ２１Ａ、給送機構２３、レジストローラー対２６、複数の搬送ローラー対２７、原稿押さえ２８、排紙部２１Ｂなどを備えた自動原稿送り装置である。また、ＡＤＦ２１は、ＡＤＦカバー２９、位置決め部５０、及び連結部７０を備える。なお、レジストローラー対２６は本発明の一対のローラー対の一例である。ＡＤＦカバー２９は本発明の第２カバー部材の一例である。連結部７０は本発明の連結部材の一例である。
【００２５】
排紙部２１Ｂは原稿カバー２２の上面に設けられており、原稿トレイ２１Ａは排紙部２１Ｂの上方に配置されている。ＡＤＦ２１は、原稿トレイ２１Ａから排紙部２１Ｂに至る湾曲形状の原稿搬送路４０（シート搬送路の一例）に沿って原稿を搬送する。原稿搬送路４０は、原稿トレイ２１Ａから左方向へ延出され、下方へ湾曲されてから右方向へ延出されて排紙部２１Ｂに至っている。
【００２６】
給送機構２３は、原稿搬送路４０において原稿の搬送方向の最上流位置に設けられている。給送機構２３は、ピックアップローラー２３Ａ、給送ローラー２３Ｂ、分離ローラー２３Ｃを備える。ピックアップローラー２３Ａは、前後方向８の中央に設けられている。ピックアップローラー２３Ａは、原稿トレイ２１Ａに載置された複数の原稿うち最上位の原稿に当接して回転することにより、原稿を下流側へ給送する。給送ローラー２３Ｂ及び分離ローラー２３Ｃは、原稿搬送路４０においてピックアップローラー２３Ａよりも下流側に設けられている。給送ローラー２３Ｂ及び分離ローラー２３Ｃは互いに圧接した状態で回転可能に支持されている。給送ローラー２３Ｂ及び分離ローラー２３Ｃは、ピックアップローラー２３Ａから給送された原稿を１枚ずつ分離して更に下流側へ搬送する。
【００２７】
レジストローラー対２６は、原稿搬送路４０において給送ローラー２３Ｂよりも下流側に設けられている。レジストローラー対２６は、読取位置１２Ａへ原稿を搬送するものであり、駆動ローラー２６Ａ（本発明の第１ローラーの一例）と、従動ローラー２６Ｂ（本発明の第２ローラーの一例）とからなる一対のローラー対である。駆動ローラー２６Ａは、図示しない駆動モーター（駆動部）によって回転駆動されるものであり、原稿搬送路４０の下側でＡＤＦ２１の内部フレームに回転可能に設けられている。従動ローラー２６Ｂは、駆動ローラー２６Ａに圧接されている。従動ローラー２６Ｂのローラー面を構成磨る表面層は弾力を有するシリコン樹脂などの弾性部材で構成さている。一方、駆動ローラー２６Ａの表面層は従動ローラー２６Ｂの表面層よりも硬い材質で構成されている。このため、駆動ローラー２６Ａ及び従動ローラー２６Ｂが互いに圧接すると、従動ローラー２６Ｂのローラー面が凹まされる。
【００２８】
従動ローラー２６Ｂは、原稿搬送路４０を挟んで駆動ローラー２６Ａよりも上側に回転可能に設けられている。つまり、駆動ローラー２６Ａ及び従動ローラー２６Ｂは、互いに圧接した状態で回転可能に設けられている。駆動ローラー２６Ａに従動ローラー２６Ｂが圧接した状態で駆動ローラー２６Ａが回転駆動されると、従動ローラー２６Ｂは駆動ローラー２６Ａの回動に伴って従動する。本実施形態では、従動ローラー２６Ｂは、ＡＤＦカバー２９に回転可能に支持されている。
【００２９】
レジストローラー対２６は、給送ローラー２３Ｂから送られてきた原稿に対してスキュー補正（斜行補正）をしてから、更に下流側へ原稿を搬送する。具体的には、レジストローラー対２６の回転が停止した状態で上流側から送られてきた原稿の先端がレジストローラー対２６のニップ部に押しつけられることによりスキュー補正がなされ、所定時間経過後に、レジストローラー対２６が回転駆動されることにより、補正後の原稿が下流側へ搬送される。
【００３０】
レジストローラー対２６の下流側に複数の搬送ローラー対２７が適宜配置されている。給送機構２３及びレジストローラー対２６によって、原稿トレイ２１Ａにセットされた複数の原稿が順番に一枚ずつコンタクトガラス１１上の読取位置１２Ａへ向けて搬送される。そして、搬送ローラー対２７によって、読取位置１２Ａを通過するように原稿が搬送されて、更に排紙部２１Ｂまで搬送される。
【００３１】
原稿搬送路４０は、読取位置１２Ａにおいてコンタクトガラス１１側に露出する開口を有する。この開口の上方に原稿押さえ２８が配置されている。読取位置１２Ａを通過する原稿は、原稿押さえ２８によって前記開口からＡＤＦ２１の外部（コンタクトガラス１１の上面）へ案内されて、コンタクトガラス１１上を滑るように移動し、読取位置１２Ａを通過した後に、再び前記開口からＡＤＦ２１の内部に案内される。この際、画像読取装置２０は、読取位置１２Ａを通過する原稿の表面の画像を読取ユニット１２に読み取らせる。具体的には、ＡＤＦ２１による原稿の移動時に、読取位置１２Ａの下方に読取ユニット１２が配置され、この読取位置１２Ａで読取ユニット１２によって移動中の原稿の画像データが読み取られる。
【００３２】
ＡＤＦ２１は、その上部の外装カバーを兼ねるＡＤＦカバー２９を備える。ＡＤＦカバー２９は、本発明の第２カバー部材の一例であり、内部に形成された原稿搬送路４０を覆う。ＡＤＦ２１の左端側に回動軸が設けられており、ＡＤＦカバー２９は、前記回動軸を回動支点として回動可能に支持されている。本実施形態では、ＡＤＦカバー２９は、ＡＤＦ２１に対して開閉可能に支持されている。具体的には、ＡＤＦカバー２９は、原稿搬送路４０を覆う閉位置（図３（Ａ）に示される位置）と、原稿搬送路４０を開放する開位置（図４に示される位置）との間で回動可能である。ＡＤＦカバーが回動操作されることによって、原稿搬送路４０が開閉されて、原稿搬送路４０が露出される。
【００３３】
図４及び図５に示されるように、ＡＤＦカバー２９に、従動ローラー２６Ｂが回転可能に支持されている。従動ローラー２６Ｂは、ＡＤＦカバー２９の裏面において、前後方向８の中央に設けられている。また、従動ローラー２６Ｂは、ＡＤＦカバー２９の裏面において前後方向８へ隔てた２つのコロ４２と、これらのコロ４２を回転可能に支持する回転軸４３（支軸）とを有する。そして、回転軸４３がＡＤＦカバー２９の裏面に形成された一対の支持部４４（図６参照）に支持されている。
【００３４】
図６及び図７に示されるように、支持部４４は、ＡＤＦカバー２９の裏面に一体に形成されており、前記裏面から下方へ突出した板状部材である。支持部４４は、ＡＤＦカバー２９が閉じられた状態で駆動ローラー２６Ａに対して接離する方向（接離方向）へ従動ローラー２６Ｂを移動可能（変位可能）に支持する。具体的には、支持部４４には前記接離方向へ延びる細幅な長孔４５が形成されており、この長孔４５に回転軸４３が挿通されている。これにより、従動ローラー２６Ｂは、駆動ローラー２６Ａに対して接離する方向へ移動可能となる。また、図５に示されるように、ＡＤＦカバー２９にはコイルバネ４６が設けられている。コイルバネ４６は、回転軸４３を駆動ローラー２６Ａへ向けて弾性的に付勢している。このコイルバネ４６のバネ力によって、ＡＤＦカバー２９が閉じられた状態で、従動ローラー２６Ｂは駆動ローラー２６Ａに圧接されている。
【００３５】
図７に示されるように、位置決め部５０は、原稿カバー２２に設けられている。具体的には、ＡＤＦ２１の内部に位置決め部５０が設けられている。位置決め部５０は、ＡＤＦ２１の前方端に配置されている。位置決め部５０は、原稿カバー２２が閉じられた状態で原稿カバー２２の前方端の高さ位置を予め定められた位置に保持するためのものである。位置決め部５０によって原稿カバー２２の前方端の高さ位置が一定の位置に保持されることにより、読取位置１２Ａを通って前後方向７に沿う方向において、原稿カバー２２の裏面と筐体２０Ａの上面２０Ｂとの間隙を一定にすることができる。位置決め部５０によって前記間隙が一定にされることにより、ＡＤＦ２１によって読取位置１２Ａを搬送される原稿の搬送距離が前後方向８の全域において一定となる。これにより、読取位置１２Ａを通過する原稿が斜行することが防止される。
【００３６】
図７及び図８に示されるように、位置決め部５０は、固定部５１と、プランジャー５２（本発明の移動部材の一例）と、コイルバネ５３（本発明の付勢部材の一例）とを備えている。固定部５１は、ＡＤＦ２１の内部フレームに固定される。プランジャー５２は、ケース部５５及び支持バー５６が一体に形成されている。ケース部５５は、円筒形状に形成されている。ケース部５５の下端の底壁５５Ａから支持バー５６が下方へ突出している。ケース部５５の内部は空洞であり、上端に開口が形成されている。ケース部５５の内部にコイルバネ５３が収容されている。また、ケース部５５の内部には、コイルバネ５３を間に挟むようにして固定部５１が挿入されている。本実施形態では、支持バー５６がＡＤＦ２１の底板５９に形成された貫通孔５９Ａから筐体２０Ａの上面２０Ｂ側へ露出するようにＡＤＦ２１内に取り付けられている。具体的には、プランジャー５２の支持バー５６が、図８に示される第１位置と、図７に示される第２位置との間で移動可能にＡＤＦ２１内に取り付けられている。ここで、前記第１位置は、原稿カバー２２が前記開位置にあるときに上面２０Ｂに対向する原稿カバー２２の裏面（対向面）から突出する位置（図８に示される位置）である。また、前記第２位置は、原稿カバー２２が前記開位置にあるときに上面２０Ｂに支持バー５６の先端（下端）が当接して前記第１位置からＡＤＦ２１の内部側へ退避した位置（図７に示される位置）である。
【００３７】
また、コイルバネ５３は、所謂圧縮バネであり、支持バー５６が前記第２位置にあるときに固定部５１とケース部５５の底壁５５Ａとの間で圧縮された状態で収容されている。このため、コイルバネ５３は、プランジャー５２を前記第２位置から前記第１位置側へ弾性付勢する。コイルバネ５３のバネ力は、原稿カバー２２が上面２０Ｂに対して閉じられたときに支持バー５６から上方の力が加えられて圧縮される程度に設定されている。このため、プランジャー５２の支持バー５６は、外力が加えられてない場合にコイルバネ５３によって前記第１位置に保持される。そして、上面２０Ｂから上方の力が加えられると前記第２位置まで退避する。なお、図７に示されるように、支持バー５６は、前記第２位置において貫通孔５９Ａから下方へ突出している。その突出量は、原稿カバー２２の裏面と筐体２０Ａの上面２０Ｂとの間隙を一定にすることができる長さに設定されている。このように位置決め部５０が構成されているため、原稿カバー２２の回動動作（開閉動作）に伴ってプランジャー５２が移動する。つまり、原稿カバー２２が前記閉位置から前記開位置へ向けて移動されると、プランジャー５２が前記第２位置から前記第１位置へ移動する。
【００３８】
連結部７０は、位置決め部５０のプランジャー５２とレジストローラー対２６とを連結するものであり、図７に示されるように、原稿カバー２２に設けられている。具体的には、連結部７０はＡＤＦ２１の内部に設けられている。連結部７０は、原稿カバー２２の回動動作（開閉動作）に伴って移動する位置決め部５０のプランジャー５２から力を受けて、その力を従動ローラー２６Ｂに伝達する。
【００３９】
図９に示されるように、連結部７０は、回転軸７１と、一対のアーム部７２と、一方のアーム部７２に設けられた突出部７３とを備える。回転軸７１は、ＡＤＦ２１内において前後方向７へ延びており、また、ＡＤＦ２１の内部フレームに回転可能に支持されている。回転軸７１の両端部それぞれにアーム部７２が固定されている。これにより、アーム部７２は、回転軸７１を揺動支点として揺動可能である。手前側のアーム部７２Ａは、回転軸７１から左側へ延びており、その延出端である左端部７５の前方面に突出部７３が固定されている。突出部７３は前方へ突出しており、プランジャー５２にも固定されている。アーム部７２それぞれの右端部７４は、レジストローラー対２６の回転軸４３の下側まで延びている。このように連結部７０が構成されているため、位置決め部５０のプランジャー５２が前記第２位置から前記第１位置へ移動すると、その移動に応じて、連結部７０の突出部７３からアーム部７２Ａに下方への力が加えられる。この力によってアーム部７２Ａの左端部７５が下方へ揺動されると、各アーム部７２の右端部７４は上方へ揺動する。この上方への揺動によって、右端部７４はレジストローラー対２６の回転軸４３を上方へ押圧する。これにより、コロ４２が上方へ移動して、駆動ローラー２６Ａから離反する。
【００４０】
上述したように、本実施形態の画像読取装置２０は、上述のように構成された位置決め部５０及び連結部７０を有している。そのため、原稿カバー２２が前記閉位置から前記開位置へ向けて上方へ離間すると、レジストローラー対２６の従動ローラー２６Ｂのコロ４２が駆動ローラー２６Ａから離れる。これにより、画像読取装置２０を長時間使用しない場合や、画像形成装置１０の保管時に、原稿カバー２２と上面２０Ｂとの間に緩衝材などを挟ませるなどすることによって、原稿カバー２２と上面２０Ｂとを離間させるだけで、従動ローラー２６Ｂによる駆動ローラー２６Ａに対する圧接を解除できる。特に、製造後に画像形成装置１０が出荷される前までの間、画像形成装置１０は緩衝材などを可動部に装着させた状態で倉庫などに長時間保管される。このような場合に、長時間の圧接による従動ローラー２６Ｂや駆動ローラー２６Ａの変形を効果的に防止できる。
【００４１】
また、ＡＤＦ２１を備えた画像読取装置２０においては、上述したように読取位置１２Ａでの斜行を防止するために位置決め部５０が搭載されている。本実施形態では、この位置決め部５０が動作したときに移動するプランジャー５２の動きを利用して、連結部７０を動作させてレジストローラー対２６を離間させている。このように、既存の位置決め部５０を利用できるので、連結部７０を設けるだけの簡単な構成によって、レジストローラー対２６の離間を実現できる。
【００４２】
なお、上述の実施形態では、連結部７０によってレジストローラー対２６を離間させることについて説明したが、連結部７０はレジストローラー対２６以外のローラー対、例えば、搬送ローラー対２７や、給送ローラー２３Ｂ及び分離ローラー２３Ｃからなるローラー対にも適用可能である。
【００４３】
また、上述の実施形態では、回転軸７１、一対のアーム部７２、突出部７３を有する連結部７０を例示したが、連結部７０は、プランジャー５２からの力を受けてレジストローラー対２６を離間させることが可能な機構であれば、どのような構成のものであってもよい。
【符号の説明】
【００４４】
１０：画像形成装置
２０：画像読取装置
２１：ＡＤＦ
２６：レジストローラー対
２６Ａ：駆動ローラー
２６Ｂ：従動ローラー
２９：ＡＤＦカバー
４０：原稿搬送路
５０：位置決め部材
５２：プランジャー
７０：連結部
７１：回転軸
７２：アーム部
７３：突出部
【図１】
0006021832.tif 000002
【図２】
0006021832.tif 000003
【図３】
0006021832.tif 000004
【図４】
0006021832.tif 000005
【図５】
0006021832.tif 000006
【図６】
0006021832.tif 000007
【図７】
0006021832.tif 000008
【図８】
0006021832.tif 000009
【図９】
0006021832.tif 000010